(57)【特許請求の範囲】
【請求項１】
内部と外部を機密に仕切るケーシングと、該ケーシングの内部と外部とを連通し、且つケーシング内部の塵、埃をケーシング外部に排出する接続口部と、前記接続口部に接合する排気装置とを具備してなる発塵防止機構を備えた電動プレスにおいて、前記ケーシングがケーシング上部とケーシング下部の複数の部分に分割されており、該ケーシング下部の内壁に凸部を形成し、ケーシング上部には前記凸部に接触する帯状の塵埃放出防止シートを固着して、前記ケーシングへの外気進入を許可すると共に塵埃の放出を防止するようにした分割隙間を設けたことを特徴とする発塵防止機構を備えた電動プレス。
【発明の詳細な説明】
【０００１】
【発明の属する技術分野】
本発明は、内部をクリーンルームとした工場，研究所等でプレス作業を行うために極めて好適であり、且つ簡単なる構造とすることができる発塵防止機構を備えた電動プレスに関する。
【０００２】
【従来の技術】
電動プレスで発塵防止機構を備えたものはなかった。
本願出願人は先に特願平１１−２５５４３号として、クリーンルームとした工場，研究所等でプレス作業を行うために、電動プレスに対して内部で発生する塵埃をクリーンルーム内に放出しないため、略密閉構造として、かつ内部の空気を吸引して排気するクリーンルーム対応の電動プレスを提案した。
【０００３】
【発明が解決しようとする課題】
これらのクリーンルーム対応の電動プレスでは、内部の空気を吸引してクリーンルーム外に排気することから、クリーンルーム対応の電動プレスは完全な密閉状態であることは求められないが、吸引・排気の停止状態においては、微少隙間からの塵埃の僅かな放出がなされることがあった。
【０００４】
僅かな放出でも高いクリーン度を要求される場所では、クリーンルーム対応の電動プレスとしては不適当であり、このために吸引・排気の停止状態においても塵埃放出することがない、クリーンルーム対応の電動プレスが望まれていた。
【０００５】
また、制作上及び保守点検のために、ケーシングは複数の部分に分割されて、組み立てられるようになっている。この必要な分割部の隙間からの塵埃放出をすることがないクリーンルーム対応の電動プレスが望まれていた。
【０００６】
【課題を解決するための手段】
本発明は、内部と外部を機密に仕切るケーシングと、該ケーシングの内部と外部とを連通し、且つケーシング内部の塵、埃をケーシング外部に排出する接続口部と、前記接続口部に接合する排気装置とを具備してなる発塵防止機構を備えた電動プレスにおいて、前記ケーシングがケーシング上部とケーシング下部の複数の部分に分割されており、該ケーシング下部の内壁に凸部を形成し、ケーシング上部には前記凸部に接触する帯状の塵埃放出防止シートを固着して、前記ケーシングへの外気進入を許可すると共に塵埃の放出を防止するようにした分割隙間を設けたことを特徴とする発塵防止機構を備えた電動プレスとすることで、課題を解決した。
【０００７】
【実施例】
【発明の実施の形態】
以下、本発明の実施形態を図面に基づいて説明する。本発明の電動プレスは、その外形部分の構成はケーシングＡと作業用ベッド３とからなる。そして、ケーシングＡが略機密性を有している。ケーシングＡは、ヘッド部１とコラム部２とから構成されている（図１，図２，図３参照）。
【０００８】
そのヘッド部１の前面側には、操作盤が配置されている。該ヘッド部１の下部にコラム部２が形成されており、ヘッド部１とコラム部２との接合部分は、機密構造となるようにシーリングされている。また、ヘッド部１及びコラム部２は、剛性に優れた形状とする。その機密状態は、略機密状態も含まれ、ケーシングＡが完全機密を確保していなくともよい。
【０００９】
そのケーシングＡの下部には、作業用ベッド３が設けられており、被工作物が載置され、該被工作物に種々のプレス作業が行われる。該作業用ベッド３の前方には、コントローラ４が配置されている。その作業用ベッド３と，該作業用ベッド３上に組み立てられたケーシングＡとは機密に接合され、その内部側と外部側とが機密的に仕切られる。また、ケーシングＡは、ヘッド部１とコラム部２以外の構成部材を有する場合には、その複数の構成部分も接合箇所がシール材により、機密構造にされる。
【００１０】
ケーシングＡ内に装着される主なる構成部品は、駆動部５，駆動伝達部６，プレス構造部７及び制御機器部８である。上記構成部品は、それ自体が駆動し、或いは駆動伝達される。その駆動部５としては、具体的には電動モータである。駆動伝達部６は、駆動部５からプレス構造部７に動力伝達を行う部位であり、主にベルト６ａ，プーリ６ｂ等から構成されている。
【００１１】
そのプレス構造部７は、ラム部７ａと，該ラム部７ａを上下方向に駆動させるラム駆動部７ｂから構成される。そのラム部７ａは、作業用ベッド３上に載置された被工作物のプレス作業を行う。ラム駆動部７ｂは、略筒形状をなし、ボール螺子部材により円筒状部材が回転し、前記ラム部７ａを装着した軸部材が上下方向にストロークｓにて移動する（図２参照）。
【００１２】
また、プレス構造部７のラム部７ａは、その周囲とヘッド部１との間に蛇腹状のダストブーツ１４が装着され、ラム部７ａが下降するときにはダストブーツ１４が伸び，ラム部７ａの上昇にてダストブーツ１４が縮むようになっている（図２参照）。そして、ラム部７ａの昇降動作においてケーシングＡ内部の塵，埃が前記ダストブーツ１４によって、ケーシングＡ外部に洩れだすことがないようにしている。
【００１３】
コラム部２の外側面に接続口部１１ａ及び１１ｂが装着され、該接続口部のいずれかに外部排気管が連結される。
【００１４】
電動プレスは、クリーンルームの外部には排気装置のブロアー１６を配置しておき、外部排気管１５の他端側はブロアー１６に連結する。そして、ブロアー１６の吸引作動により、稼動状態の電動プレスからケーシングＡ内の塵，埃を常時、外部に排出する。ケーシングＡは、前述したように、機密状態であるから、塵，埃はクリーンルームには、洩れ出ることはない。また、外部排気管１５には、流量計１７が装着されることもある（図２，参照）。
【００１５】
ケーシングＡは、ヘッド部１とコラム部２以外の構成部材を有する場合には、その複数の構成部分も接合箇所がシール材により、機密構造にされる。ヘッド部１の部分のシール構造について詳述する。
【００１６】
ヘッド部１は内部の組み立て容易化や、保守点検の為に、ケーシング上部１ａの蓋部とケーシング下部１ｂとに分割されている。組み立て容易化や、保守点検時の取付け、取外しの容易化に対して、合せ部は適当な隙間が必要であり、設けられている。
【００１７】
具体的な例として、突き合わせタイプを図４及び図５を用いて説明する。なお、図４及び図５は図３のＢ−Ｂ部を断面としたものである。
【００１８】
ケーシング下部１ｂに複数のカバー止め板３１が固着されている。該カバー止め板３１は平板でコの字状に形成されており、一方のケーシング下部１ｂから上方に立ち上げられ、折り曲げられた平坦部３１ａにネジ穴を形成し、更に折り曲げられて対抗する側のケーシング下部１ｂに固着されている。
【００１９】
ケーシング上部１ａの蓋部に穴が開口されており、カバー止め板３１上にケーシング上部１ａを配置して、ネジ３２で固着するようになっている。
このためケーシング上部１ａの蓋部とケーシング下部１ｂとの間には突き当てを回避するための突き当て隙間１ｃが発生する。
なお、突き当てタイプのほか、ケーシング上部１ａの蓋部をケーシング下部１ｂの外周を覆うように配置する実施形態でも、隙間を防ぐことは出来ない。
【００２０】
ケーシング上部１ａの蓋部には支持板３３が固定されており、該支持板３３にシール止め板３４がネジ３５により装着されている。３６はシールであって、軟質ゴムや軟質樹脂等の軟質でかつ塵埃を通過させないシート状部材で構成されており、ケーシング上部１ａの蓋部内面にシール止め板３４を押圧することで保持力を発生させている。
【００２１】
３７はケーシング下部１ｂの内壁に突出するように形成した凸部であって、シール３６の先端のがケーシング内部に延下した部分が凸部３５の突出部に接触するようになっている。
【００２２】
従って、常には、ケーシングＡ内の塵，埃をケーシング外に放出しないシールとして機能し、ブロアー１６の吸引作動により、稼動状態の電動プレスからケーシングＡ内の塵，埃を常時、外部に排出する時には、ケーシングＡ内部が負圧となる場合には、シールが内部に作動して隙間から空気を吸入することで、ブロアーの負荷を軽減すると共に、内部装置の冷却作用を期待できる。
【００２３】
なお、前記カバー止め板３１に代えて、図６に示すようにケーシングが装着される本体Ｈに直接、棒状の止め棒３８を固着し、この止め棒３８にケーシング上部１ａをネジ３２で固着するようにしてもよい。
【００２４】
【発明の効果】
この発明は、以上の構成により、
高いクリーン度を要求されるクリーンルーム対応の電動プレスとしては僅かな放出でも不適当であり、このために吸引・排気の停止状態においても塵埃放出することがない、クリーンルーム対応の電動プレスとすることが出来た。
また、制作上及び保守点検のために、ケーシングは複数の部分に分割されて、組み立てられるようになっている。この必要な分割部の隙間からの塵埃放出をすることがないクリールーム対応の電動プレスとすることが出来た。
発明の構成により、ブロアー１６の吸引作動により、稼動状態の電動プレスからケーシングＡ内の塵，埃を常時、外部に排出する時には、ケーシングＡ内部が負圧となる場合には、シールが内部に作動して隙間から空気を吸入することで、ブロアーの負荷を軽減すると共に、内部装置の冷却作用を期待できる。また、ブロアーの停止時にもケーシングＡ内の塵，埃をケーシング外に放出しないシールとして機能する。
【図面の簡単な説明】
【図１】電動プレスの斜視図
【図２】電動プレスの後方斜視図
【図３】電動プレスの縦断側面図
【図４】図３のＢ−Ｂ断面図
【図５】シール部分の説明図
【図６】ケーシング止め部材の別実施例
【符号の説明】
Ａ…ケーシング
１ａ…ケーシング上部
１ｂ…ケーシング下部
１１…接続口部
１２…圧力調整弁
１５…外部排気管
１６…ブロアー
３６…シール
【図１】
0004426019.tif 000002
【図２】
0004426019.tif 000003
【図３】
0004426019.tif 000004
【図４】
0004426019.tif 000005
【図５】
0004426019.tif 000006
【図６】
0004426019.tif 000007